(57)【要約】【課題】断熱性及び機密性を有し、軽量で搬送、その他取り扱いが容易で、遺体等を一時的に簡易に保管安置する場合に好適であり、遺体等の臭気の放散を伴なわずに、内部を低温に維持する機能を有し、かつ冷却効果を増大できる低温保冷収納バッグを実現する。【解決手段】断熱性及び機密性の素材からなるとともに被保冷物収容後に密閉し得る開口部１６を有する被保冷物収容体１からなり、該被保冷物収容体の内部を低温状態に保持して前記被保冷物収納体に収容された被保冷物を保冷する保冷装置において、被保冷物収容体１を形成する隔壁の断面の少なくとも一部を断熱層１３で形成し、該断熱層の内部又は前記断熱層の内側に冷却流体を流す配管１２を配設し、別置きの冷却ユニット２から冷却流体配管１２に冷却流体を供給してなる。【選択図】図１
2006346428.tif 000002
【特許請求の範囲】
【請求項１】
断熱性及び機密性の素材からなるとともに被保冷物収容後に密閉し得る開口部を有する被保冷物収容体からなり、該被保冷物収容体の内部を低温状態に保持して前記被保冷物収容体に収容された被保冷物を保冷する保冷装置において、
前記被保冷物収容体を形成する隔壁の断面の少なくとも一部を断熱層で形成し、
前記断熱層の内部又は前記断熱層より被保冷物側の隔壁内に冷却流体を流す配管を配設
し、
別置きの冷却ユニットから前記冷却流体配管に冷却流体を供給してなることを特徴とす
る保冷装置。
【請求項２】
前記被保冷物収容体が断熱性及び気密性を有する内張りシート及び外張りシートと、該内張りシートと該外張りシートとの間に介装された断熱層とからなり、
前記断熱層の内部又は前記断熱層と前記内張りシートとの間に前記冷却流体配管を配設してなることを特徴とする請求項１記載の保冷装置。
【請求項３】
前記被保冷物が遺体であり、
前記被保冷物収容体の少なくとも上面側が可撓性のある素材からなり、
前記被保冷物収容体の底面を硬質にしたことを特徴とする請求項１記載の保冷装置。
【請求項４】
前記被保冷物収容体が背高をもたせた硬質の側壁が形成され、一側壁が開閉可能に構成された収容部を備えたことを特徴とする請求項１記載の保冷装置。
【請求項５】
前記被保冷物収容体が収容部本体と、該収容部本体に対しヒンジ軸を介して回動可能に接続され、形状保持体が装架され外側に湾曲して収容空間を拡大する断面形状をなす蓋部を備えたことを特徴とする請求項１記載の保冷装置。
【請求項６】
前記底面又は前記収容部の底面に車輪又は移動用キャスタを取り付けたことを特徴とする請求項３、４又は５記載の保冷装置。
【請求項７】
前記保冷装置を人体を一定時間低温に保持するための治療用に用いることを特徴とする請求項１記載の保冷装置。
【請求項８】
単一の筐体の内部に圧縮機、凝縮器、膨張手段及び蒸発器からなる冷凍サイクル構成機器を収容した冷却ユニットであって、
前記冷凍サイクル構成機器から冷却流体を別置きの保冷装置に供給する供給管と、
前記別置きの保冷装置から戻される冷却流体を受け取る戻り管と、
前記供給管に介設されたポンプと、
前記供給管及び前記戻り管と前記別置きの保冷装置の冷却流体配管とを着脱可能に接続するコネクタと、
前記保冷装置を構成し前記供給管を介して冷却流体を供給する被保冷物収容体とよりなり、
前記供給管を介して前記被保冷物収容体内を冷却循環する冷却流体が前記戻り管より適時交換可能に構成されたことを特徴とする冷却ユニット。
【請求項９】
前記冷却流体が冷水であり、
前記蒸発器が冷水を貯留した冷水タンク内部の冷水面下に設けた蒸発器からなり、
前記保冷装置に冷媒として氷水を供給するように構成したことを特徴とする請求項８記載の冷却ユニット。
【請求項１０】
下部に車輪又は移動用キャスタを取り付けたことを特徴とする請求項８記載の保冷ユニット。
【請求項１１】
断熱性及び機密性の素材からなるとともに被保冷物収納後に密閉し得る開口部を有する被保冷物収容体からなり、該被保冷物収容体の内部を低温状態に保持して前記被保冷物収納体に収容された被保冷物を保冷する保冷装置と、
前記保冷装置に冷却流体を供給して前記被保冷物収容体の内部を冷却する別置きの冷却ユニットとからなる保冷セットにおいて、
前記保冷装置は、
前記被保冷物収容体を形成する隔壁の断面の少なくとも一部を断熱層で形成し、前記断熱層の内部又は前記断熱層の内側に冷却流体を流す配管を配設してなり、
前記冷却ユニットは、
単一の筐体の内部に圧縮機、凝縮器、膨張手段及び蒸発器からなる冷凍サイクル構成機器を収容した冷却ユニットであって、
前記冷凍サイクル構成機器から冷却流体を保冷装置に供給する冷媒供給管と、
前記別置きの保冷装置から戻される冷却流体を受け取る戻り管と、
前記供給管に介設されたポンプと、
前記供給管及び前記戻り管と前記別置きの保冷装置の冷却流体配管とを着脱可能に接続するコネクタとを備えたことを特徴とする保冷セット。
【発明の詳細な説明】
【技術分野】
【０００１】
本発明は、被保冷物を一時的に低温状態で保管可能な簡易な構造の保冷装置に関し、特に遺体を諸般の理由で検死等が必要なために、本来の形式で収容処置できず一時的に遺体を保管安置する場合等に好適であり、軽量で持ち運びに便利であり、冷却効率が高く、かつ遺体等の臭気の放散を防ぎ、遺体の損傷を防止し得る長所を有する。
【背景技術】
【０００２】
地震、火災、水害等の災害に伴う事故や交通事故等の伴う死亡事故が起こったときには、遺体を死亡場所から納棺又は検死等を行う場所まで搬送しなければならない。また搬送後検視等のため、遺体をすぐに埋葬等本来の形式で収容処置できない場合があり、このような場合、遺体を毛布又はシート等で包囲し、担架に載置したり、あるいは寝袋状袋体に収納して、仮の安置所に保管していた。しかし各種の災害等による事故遺体のように各種の外傷を受けた遺体の場合や夏期高温時等の気候上厳しい条件下においては、とくに遺体の痛みを防止する必要がある。
【０００３】
このような場合、従来遺体の痛みを防止するための最も簡易な対策は、遺体を棺等の閉鎖空間に置き、蓄熱剤、塊状ドライアイス等の冷却剤を棺内に入れて棺内を低温に保つことであった。
しかしながら、これにより十分な目的を達成するためには、特に高温期にあっては冷却剤の頻繁な補充が必要となり、手数及びコストが増大していた。またドライアイスは、直接遺体に接触させると、遺体が損傷するために、取り扱いに注意しなけれならず、またドライアイスは燃えにくいため、火葬の直前で取り出さなければならず、またドライアイスによる二酸化炭素の過剰放出等の問題があった。
【０００４】
また冷媒の圧縮及び膨張に基づく冷却サイクルを利用した冷媒圧縮機付きの冷却装置を備えた装置も種々提案されている。
かかる装置の例として、例えば特許文献１（特開平１−９７４５５号公報）、特許文献２（特開平２−９５３６６号公報）、特許文献３（特開平４−２４４１５３号公報）等がある。
これらの装置は、いずれも前記冷却装置によって冷気を製造し、その冷気を遺体を収納した棺の中あるいは棺の周囲に供給し、棺内の遺体を冷却する方式のものである。
【０００５】
また特許文献４（特開平９−２５３１４１号公報）には、断熱性及び気密性を有する遺体収納保存袋に対して冷気発生源（具体的には冷媒の圧縮・膨張による冷却サイクルを利用した冷却装置、又はぺルチェ効果を利用した電子冷却装置等）から冷気を導入し、また防臭殺菌流体形成手段から前記保存袋にオゾン等の防臭殺菌流体を導入して、前記保存袋に収納された遺体の痛みを防止する手段が開示されている。
また特許文献５（特開平９−２８６７０１号公報）には、断熱性かつ気密性を有する遺体収納保存袋に液化炭酸ガスや液化窒素等の不活性な液化ガスを液化ガス源から注入して、袋体の内部を実質上無酸素状態とすると共に、噴射時の断熱膨張現象によって遺体を急速に冷却するようにした保存方法が開示されている。
【０００６】
【特許文献１】特開平１−９７４５５号公報
【特許文献２】特開平２−９５３６６号公報
【特許文献３】特開平４−２４４１５３号公報
【特許文献４】特開平９−２５３１４１号公報
【特許文献５】特開平９−２８６７０１号公報
【発明の開示】
【発明が解決しようとする課題】
【０００７】
しかしながら特許文献１及び２に開示された装置は、棺の中あるいは棺の周囲に冷風を吹き込む方式のものであるため、棺内が加圧状態となって、遺体の臭気が冷風とともに外部に発散される問題がある。
また棺と冷凍装置とが１個の保護ケース内に収納されるため、保護ケースの重量が嵩み、搬送、その他の取り扱いに不便であるという問題がある。
【０００８】
また特許文献３に開示された装置は、特許文献１と同様に遺体が収納される棺と冷凍装置とを１個の保護ケースに収納し、冷凍装置の冷媒が循環する蒸発器を棺の下側に位置する保護ケース床面に配設し、蒸発器による冷気によって納棺状態の遺体を冷却保持する構成を有するものであり、棺内に冷風を吹き込む方式ではないが、特許文献１と同様に遺体が収納された棺の外側から冷却するため、冷却効果は減少するとともに、１個の保護ケースの中に棺と冷凍装置とを収納しているために、全体として重量が嵩み、搬送に不便である。
また棺と冷凍装置とを切り離して別ユニットにした場合、蒸発器だけが棺側に残り、蒸発器と冷凍装置本体とを接続して運転を始めるまでに長時間を要するという問題がある。
【０００９】
また特許文献４に開示された装置は、遺体収納保存袋の中に冷風を吹き込む方式のものであるため、保存袋に供給した冷風の戻り管を有するものの、特許文献１及び２と同様に、遺体の臭気が冷風とともに外部に放散されてしまうという問題がある。
【００１０】
また特許文献５に開示された保存方法において、高圧状態にある液化ガスを袋体の内部に注入する際は、極めて緩やかに制御されたバルブ操作が必要となる。例えば液化炭酸ガスではその体積が約２８０倍にも膨張する。
従って袋体の内圧が急激に高まって破裂する危険があるため、高圧ボンベの開閉バルブには、正確な流量調節機能又は過大流速保護機能等を付加する必要があり、操作には細心の注意が必要であるとともに、装置が複雑かつ高額化する問題がある。
【００１１】
本発明は、かかる従来技術の課題に鑑み、低温で保冷を必要とする被保冷体、特に遺体を諸般の理由で検視等が必要なために、本来の形式で収容処置できない場合に、一時的に簡易に保管安置する場合等に好適であり、断熱性及び機密性、あるいはさらに可撓性を有し、軽量で搬送、その他取り扱いが容易な被保冷物収容体であって、遺体等の臭気の放散を伴なわずに、内部を低温に保ち維持する機能を有し、かつ冷却効果の優れた簡易な冷却ユニットを備えた保冷装置を実現することを目的とする。
【００１２】
また本発明は、他の被保冷物、例えば生鮮食料品類の一時的な低温保存又は低温輸送等にも好適であり、あるいは人体の治療のため人体を一定時間低温に保持することができる簡易な保冷装置を実現することを目的とする。
【課題を解決するための手段】
【００１３】
前記目的を達成するため、本発明の保冷装置は、
断熱性及び機密性の素材からなるとともに被保冷物収容後に密閉し得る開口部を有する被保冷物収容体からなり、該被保冷物収容体の内部を低温状態に保持して前記被保冷物収納体に収容された被保冷物を保冷する保冷装置において、
前記被保冷物収容体を形成する隔壁の断面の少なくとも一部を断熱層で形成し、
前記断熱層の内部又は前記断熱層より被保冷物側の隔壁内に冷却流体を流す配管を配設
し、
別置きの冷却ユニットから前記冷却流体配管に冷却流体を供給してなることを特徴とする。
【００１４】
本発明において、被保冷物収容体を形成する断熱層の内部又は前記断熱層より被保冷物側の隔壁内に冷却流体を流す配管を配設し、該配管に冷却流体を流すことにより被保冷物を冷却するようにしている。また好ましくは、被保冷物収容体が断熱性及び気密性を有する内張りシート及び外張りシートと、該内張りシートと該外張りシートとの間に介装された断熱層とからなり、前記断熱層の内部又は前記断熱層と前記内張りシートとの間に前記冷却流体配管を配設するようにしてもよい。
【００１５】
内張りシートは、断熱性及び気密性を有する材質、好ましくはさらに可撓性を有する材質を用い、例えば天然繊維又はナイロン、ビニール、レーヨン、ポリエステル等の合成繊維若しくはその混紡生地にシルバーコーティング等の防水加工を施したものが使用可能である。
また外張りシートも、同様な材質のものが使用可能である。また断熱層は、例えば発泡ウレタンによる断熱層、あるいは発泡スチロールやポリスチレンフォーム等で構成される断熱層でもよい。あるいは空気を内部に封入した袋状の可撓性シートにより構成して空気の断熱性を利用した断熱層としてもよい。
【００１６】
また別置きの冷却ユニットにより冷却流体を製造し、前記断熱層の内部又は内側、例えば内張りシートと断熱層との間に配設された冷却流体配管に冷却流体を供給して被保冷物を冷却する。
本発明において、例えば被保冷物が遺体であり、被保冷物収容体の少なくとも上面側を断熱性及び気密性のみならず可撓性のある素材でつくり、被保冷物収容体の底面を硬質にすれば、軽量を維持することができるとともに、取り扱いに便利な被保冷物収容体を形成することができる。更に被保冷物収容体の底面を硬質としたことにより、保形性を維持することができて車輪又は移動用キャスタを取り付けやすくし、被保冷物収容体の下面に車輪又は移動用キャスタを取り付け、被保冷物収容体を移動可能とすることにより、搬送、その他の取り扱いが容易になる。
【００１７】
また本発明において、好ましくは、被保冷物収容体が、背高をもたせた硬質の側壁が形成され、一側壁が開閉可能に構成された収容部を備えるようにすることで、遺体の収容及び取り出しが容易になり、あるいは被保冷物収容体が収容部本体と該収容部本体に対しヒンジ軸を介して回動可能に接続され、形状保持体が装架され外側に湾曲して収容空間を拡大する断面形状をなす蓋部を備えるようにする。
このように構成することで、遺体を収容するための収容空間を大きく取ることができる。遺体の収容中に遺体、特に遺体の顔が被保冷物収容体の内面に接触して、変色したり、変質したりすると、検死結果に影響を与えるが、前記構成にすると、このようなことがなくなる。このためかかる構成の被保冷物収容体は、検死を行なう必要のある遺体の収容に好適である。
【００１８】
また本発明の保冷ユニットは、
単一の筐体の内部に圧縮機、凝縮器、膨張手段及び蒸発器からなる冷凍サイクル構成機器を収容した冷却ユニットであって、
前記冷凍サイクル構成機器から冷却流体を別置きの保冷装置に供給する供給管と、
前記別置きの保冷装置から戻される冷却流体を受け取る戻り管と、
前記供給管に介設されたポンプと、
前記供給管及び前記戻り管と前記別置きの保冷装置の冷却流体配管とを着脱可能に接続するコネクタと、
前記保冷装置を構成し前記供給管を介して冷却流体を供給する被保冷物収容体とよりなり、
前記供給管を介して前記被保冷物収容体内を冷却循環する冷却流体が前記戻り管より適時交換可能に構成されたことを特徴とする。
【００１９】
本発明の保冷ユニットにおいて、別置きの保冷装置とはコネクタによって接続されて使用される。保冷装置に供給される冷却流体は、前記冷凍サイクル構成機器内を循環する冷媒であってもよく、あるいはその冷媒と熱交換して冷却されたブライン等の冷却流体であってもよい。
前記冷凍サイクル構成機器によって冷却された冷却流体は被保冷物収容体に配設された冷却流体配管に供給されて被保冷物を冷却した後、前記戻り管から前記冷凍サイクル構成機器に戻り、再び冷却されて循環使用される。
【００２０】
本発明の保冷ユニットにおいて、例えば冷却流体が冷水であり、前記蒸発器が冷水を貯留した冷水タンク内部の冷水面下に設けた蒸発器からなり、前記保冷装置に冷媒として氷水を供給するように構成することができる。
この構成では、冷水タンク内に配置した蒸発器を構成する冷媒配管の外周に氷が形成され、冷水タンク内に蓄氷されて氷水が製造され、被保冷物収容体に送られるため、冷却効果を増大させることができる。
また冷却ユニットの下部に車輪又は移動用キャスタを取り付ければ、移動が容易となり、取り扱いに便利である。
【００２１】
また本発明の保冷セットは、
断熱性及び機密性の素材からなるとともに被保冷物収納後に密閉し得る開口部を有する被保冷物収容体からなり、該被保冷物収容体の内部を低温状態に保持して前記被保冷物収納体に収容された被保冷物を保冷する保冷装置と、
前記保冷装置に冷却流体を供給して前記被保冷物収容体の内部を冷却する別置きの冷却ユニットとからなる保冷セットにおいて、
前記保冷装置は、
前記被保冷物収容体を形成する隔壁の少なくとも一部を断熱層で形成し、前記断熱層の内部又は前記断熱層の内側に冷却流体を流す配管を配設してなり、
前記冷却ユニットは、
単一の筐体の内部に圧縮機、凝縮器、膨張手段及び蒸発器からなる冷凍サイクル構成機器を収容した冷却ユニットであって、
前記冷凍サイクル構成機器から冷却流体を保冷装置に供給する冷媒供給管と、
前記別置きの保冷装置から戻される冷却流体を受け取る戻り管と、
前記供給管に介設されたポンプと、
前記供給管及び前記戻り管と前記別置きの保冷装置の冷却流体配管とを着脱可能に接続するコネクタとを備えたことを特徴とする。
【００２２】
本発明の保冷セットでは、被保冷物収容体に冷風を供給せずに、被保冷物収容体に冷却流体配管を配設して冷却するため、被保冷物収容体内の雰囲気が外に排出されることがなく、従って遺体を収容した場合にも遺体の臭気が被保冷物収容体の外に放散することがない。
また本発明の被保冷物収容体は、断熱層を設けているため、冷却流体の冷熱が外部に漏れることがなく、冷却効果を一層増大させることができる。また冷却流体が流れる配管が前記断熱層の内部又は前記断熱層の内側に配設されているため、冷却流体による被保冷物の冷却効果を増大することができる。
【発明の効果】
【００２３】
本発明の保冷装置によれば、被保冷物収容体を形成する隔壁の少なくとも一部を断熱層で形成し、前記断熱層の内部又は前記断熱層の内側に冷却流体を流す配管を配設し、別置きの冷却ユニットから前記冷却流体配管に冷却流体を供給してなることにより、冷却流体が被保冷物を直接冷却するので、良好な熱伝達効率の元で被保冷体を効率良く冷却することができる。
また冷却流体配管を使った冷却方式であり、また被保冷物収容体は気密性のある素材でできているため、被保冷物収容体内外間の空気の出入りがなく、従って遺体等の臭気の漏れが極力防止される。
【００２４】
また好ましくは、被保冷物収容体は、断熱性及び気密性を有する内張りシート及び外張りシートとこれらシート間に介装された断熱層とからなり、良好な断熱性を有するので、冷却効果を増大できるとともに、軽量化されているので、搬送その他取り扱いに便利である。
また冷却ユニットが被保冷物収容体と別置きに構成されて、コネクタによって着脱可能になっているので、搬送、その他の取り扱いが容易である。
【００２５】
また好ましくは、被保冷物収容体を断熱性及び気密性のみならずその少なくとも上面側を可撓性のある素材でつくり、被保冷物収容体の底面を硬質にすれば、軽量であってかつ保形性を維持することができる取り扱いに便利な被保冷物収容体を形成することができる。更に被保冷物収容体の底面を硬質としたことにより、車輪又は移動用キャスタを取り付けやすくし、被保冷物収容体の下面に車輪又は移動用キャスタを取り付け、被保冷物収容体を移動可能とすることにより、搬送、その他の取り扱いが容易になる。
【００２６】
また好ましくは、被保冷物収容体が、背高をもたせた硬質の側壁が形成され、一側壁が開閉可能に構成された収容部を備えたことにより、被保冷物の収容及び取り出しが容易になり、あるいは被保冷物収容体が収容部本体と、前記収容部本体に対しヒンジ軸を介して回動可能に接続され、形状保持体が装架され外側に湾曲して収容空間を拡大する断面形状をなす蓋部を備えたことにより、遺体を収容するための収容空間を大きく取ることができるため、遺体、特に遺体の顔が被保冷物収容体の内面に接触して、変色したり、変質したりすることがなくなるため、検死を行なう遺体の収容に好適である。
【００２７】
また本発明の保冷ユニットによれば、単一の筐体の内部に圧縮機、凝縮器、膨張手段及び蒸発器からなる冷凍サイクル構成機器を収容した冷却ユニットであって、前記冷凍サイクル構成機器から冷却流体を別置きの保冷装置に供給する供給管と、前記別置きの保冷装置から戻される冷却流体を受け取る戻り管と、前記供給管に介設されたポンプと、前記供給管及び前記戻り管と前記別置きの保冷装置の冷却流体配管とを着脱可能に接続するコネクタと、前記保冷装置を構成し前記供給管を介して冷却流体を供給する被保冷物収容体とよりなり、前記供給管を介して前記被保冷物収容体内を冷却循環する冷却流体が前記戻り管より適時交換可能に構成されたを備えたことにより、搬送、持ち運びに便利であり、現地での組み立ても前記コネクタで冷却流体配管同士を接続するだけで容易に行なうことができる。
【００２８】
好ましくは、前記冷却流体が冷水であり、前記蒸発器が冷水を貯留した冷水タンク内部の冷水面下に設けた蒸発器からなり、前記保冷装置に冷媒として氷水を供給するように構成したことにより、冷却流体による被保冷物の冷却効果を増大させることができる。
なお本発明は、遺体の保冷のみならず、その他の被保冷物、例えば人体を一定時間低温に保持するための治療用保冷装置に適用すれば、その良好な断熱性により良好な冷却効果が得られ、また取り扱いに便利である。また生鮮食料品類の保冷にも適用でき、例えばコンテナや車両の荷台につくられた保冷庫等にも適用可能である。
【発明を実施するための最良の形態】
【００２９】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
図１は、本発明装置の第１実施例の全体斜視図、図２は第１実施例の収納バッグの縦断立面図、図３は、図２のIII−III線に沿う横断側面図、図４は、第１実施例の冷却装置の構成図である。
【実施例１】
【００３０】
本実施例は、本発明を遺体収納バッグに適用した実施例であって、図１〜４において、１は第１実施例の遺体収納バッグ本体であり、２は冷却ユニットである。遺体収納バッグ本体１と冷却ユニット２とは別ユニットで構成されており、遺体収納時は冷却ユニット２に取り付けられた冷水ホース３４，３４が接続コネクタ１５，１５に接続される。
遺体収納バッグ本体１の隔壁は、図２及び３に示すように、内側から内張りシート１１、冷水配管１２、断熱層１３及び外張りシート１４が積層されて構成されている。
内張りシート１１及び外張りシート１４は、断熱性、気密性及び可撓性のあるもの、例えば天然繊維又はナイロン、ビニール、レーヨン、ポリエステル等の合成繊維若しくはその混紡生地にシルバーコーティング等の防水加工を施したもので構成されている。
【００３１】
冷水配管１２は、例えば酢酸ビニール等柔軟性のある材料でできており、遺体収納バッグ本体１の長手方向に沿って間隔を有して並設されており、冷水は冷水配管１２の入口管１２ａからバッグ本体１内に導入され、冷水配管１２を順に流れた後、出口管１２ｂを通って後述する冷却装置に戻るように構成されている。また入口管１２ａ及び出口管１２ｂには接続コネクタ１５が設けられ、後述する冷却ホースと着脱可能に構成されている。
断熱層１３は、断熱性を有する、例えば発泡ウレタンによる断熱層、あるいは発泡スチロールやポリスチレンフォーム等で構成されている。なお内部に空気層を封入した柔軟性のあるシートで構成することにより、断熱性をもたせてもよい。
【００３２】
図１において、１６はバッグ本体１のファスナ付き開閉部で、開閉部１６を開いて遺体ａをバッグ本体の内部に収納した後、開閉部１６を閉じることによりバッグ本体１内の気密性を保つことができる。１７はバッグ本体１の周囲４箇所に設けられた取っ手であり、バッグ本体１は軽量であるため、取っ手１７を把持することにより持ち運びが可能となる。
冷却ユニット２の各構成機器は冷水ボックス２１の内部に収納されている。
【００３３】
図４により、冷却ユニット２の各構成機器を説明する。図４において、２２は、例えばＲ−１３４ａ（オゾン層破壊対策冷媒）等の冷媒が循環する冷媒循環配管、２３は冷媒を圧縮する電動圧縮機であり、電動モータ（図示略）により駆動される。２４は冷媒を冷却して凝縮させる空冷式コンデンサで、ファン２５によって冷風が供給され冷却される。２６はファン２５を駆動する電動モータである。
２７は冷媒を断熱膨張させる膨張弁、２８は冷水が貯留された冷水タンクであり、冷水タンク２８内の冷水中に蒸発器２９を構成する蒸発管が配置されている。この蒸発器は、熱伝達率の良い銅管でつくられ、銅管をコイル状に巻いたものである。
【００３４】
膨張弁２７で断熱された冷媒は蒸発管２９の内部で周囲の水から蒸発潜熱を奪って気化する。蒸発潜熱を奪われた水は冷却されて蒸発管２９の外面に氷を形成する。３０は冷却タンク２８の水位を見る水位窓である。冷水タンク２８には、冷水供給管３２及び冷水戻り管３３が接続されており、冷水供給管３２には冷却ポンプ３１が介設されている。
冷水タンク２８内の冷水は、冷水ポンプ３１によって冷水供給管３１から接続コネクタ１５において冷水供給管３２と接続される冷水ホース３４を経て冷水配管１２に供給される。冷水配管１２に供給されて遺体ａを冷却した冷水は冷水ホース３４、接続コネクタ１５及び冷水戻り管３３を経て冷水タンク２８に戻される。冷水ホース３４は、例えばビニールホース製で、両端に接続カプラが付いている。
【００３５】
図１において、３５は、冷却装置２の駆動系であるファン２５の電動モータ２６及び電動圧縮機２３の電動モータ（図示略）を駆動する電源に接続する電源コードである。
本実施例の装置において、電動モータ２６及び電動圧縮機２３等の駆動電源は、可搬式バッテリ、車載バッテリ、商用電源とすることができる。また手提げ式発電機又は台車や車両等により容易に移動可能な発電機の出力を利用することも可能である。
３６は、冷却ボックス２１の下部４隅に設けられた移動用キャスタであり、これによって冷却ボックス２１は任意の方向に移動することができる。また３７は把持用取っ手であり、これによって冷却ボックス２１を持ち運びできるようになっている。
【００３６】
かかる第１実施例の装置において、遺体収納バッグ本体１及び冷却ユニット２は、それぞれ軽量であり、分離した状態で持ち運びが可能となり、任意の場所で使用することができる。
遺体ａを収納する場合には、冷水ホース３４，３４をバッグ本体１の入口管１２ａ及び出口管１２ｂに接続コネクタ１５，１５で接続する。開閉部１６を開いて遺体ａを収納した後、開閉部１６を閉じると、気密性を保つことができ、冷却ユニット２から冷水を冷水配管１２に供給することによって、バッグ本体１の内部を冷却し低温に保持することができる。冷水配管１２に供給される冷水温度は、例えば０〜３℃に設定され、戻り管３３から戻るときの冷水温度は例えば１〜５℃となる。
【００３７】
第１実施例の装置によれば、バッグ本体１の内張りシート１１及び外張りシート１４は、断熱性、気密性及び可撓性のある素材で構成されているので、柔軟性があるかつ軽量であるため、取り扱いに便利であり、また内張りシート１１及び外張りシート１４の間に断熱層１３が挿入されているので、断熱性が良好であり、バッグ本体内の冷水効果を保つことができる。
また冷水配管１２が内張りシート１１の外側に配置され、遺体ａを内張りシート１１を介して直接冷却することができるので、冷却効果を増大することができる。
【００３８】
また第１実施例の冷却方式は、冷水配管１２を流れる冷水により遺体ａを冷却する方式であるので、バッグ本体１の内外間で気流の出入りがなく、従ってバッグ本体１内の臭気が外部に放散されることがない。
さらに冷却タンク２８の内部の冷水面下に蒸発管２９を配置して蓄氷する蓄冷方式を採用しているので、冷却効率を高くすることができる。
【００３９】
またバッグ本体１と冷却装置２とが分離可能になっており、持ち運びに便利であり、稼動させるときは接続コネクタ１５，１５でワンタッチで接続可能であるので、迅速な稼動が可能となる。また冷却装置２の下部には移動用キャスタ３６が取り付けられているので、任意の方向に容易に移動することができて便利である。
なおバッグ本体１の下面を硬質に形成し、その硬質下面に車輪又はキャスタを取り付けてれば、バッグ本体１の移動、その他取り扱いが便利になる。
【実施例２】
【００４０】
次に本発明の第２実施例を図５〜８に基づいて説明する。図５及び６において、遺体収納バック本体４０は、収容部４３と、収容部４３に長手方向の一辺が収容部４３に回動可能に取り付けられた蓋部４４とで構成されている。収容部４３及び蓋部４４の壁面は、図１〜２に示す第１実施例と同様に、内張りシート、断熱層及び外張りシートから構成されている。内張りシート４６は、ビニールコーティングされた織布で、防水性及び可撓性を有する。また断熱層は、例えばウレタン製を用い、収容部４３及び蓋部４４ともに保形性を有するように硬質に形成されている。
【００４１】
蓋部４４は、図示のように断面が外側に円弧状に湾曲する形状をなし、裏側に剛性をもつようにリブ４５が装架されている。収容部４３の底面は、内張りシート４６の下側に収納された遺体に損傷を与えないように熱伝導性の良いポリエチレン製プラスチック板４７が敷かれ、その下に複数の冷水配管４８が敷設されている。収容部４３の長手方向の側壁４９は、遺体収容時に遺体の収容を容易にするように底面４３ｂに対して回動可能に軸支され、その両端に取り付けられたマジックテープ（登録商標）４９で側壁４３ｃ、４３ｄに固定されるようになっている。
【００４２】
冷却ユニット６０は、図１及び４に示す第１実施例の冷却装置２と同一の構成を有し、取っ手６１、商用電源に接続される電源コード６２及びキャスタ６３を備え、通常は遺体収納バック本体４０と切り離されているが、遺体収納時に遺体週押バック本体４０に配設された冷水配管４８に連通した接続部４２にコネクタ６５によって冷水ホース６４が接続されて、冷水ホース６４から冷水を冷水配管４８に供給する。
【００４３】
図７は、遺体収納バック本体４０に配設された冷水配管４８の配置状況を示す模式的断面図、図８は、冷水配管４８の配置状況を示す展開図である。図７及び８に示すように、遺体収納バック本体４０の収容部４３及び蓋部４４に長手方向に冷水配管４８が配設され、
遺体収納バック本体４０の一端面側に供給ヘッダ５０及び戻りヘッダ５１が設けられ、接続部４２ａから供給ヘッダ５０を介して冷水が冷水配管４８に供給され、遺体収納バック本体４０の内部を冷却した後、戻りヘッダ５１を介して接続部４２ｂに冷水が戻されるようになっている。冷水配管４８は、図８に示すように、冷水配管内での冷水の温度上昇を防ぐために複数に分割されている。
【００４４】
かかる構成の第２実施例において、第１実施例の作用効果を得られるほかに、硬質の断熱壁で形成され背高を有する収容部４３と外側に円弧状に湾曲して収納容積を拡大している蓋部４４とで構成されているため、遺体が収容部４３や蓋部４４の内面に当らず、そのため変色や変質が起こらない。
従って遺体収納中の接触による変色や変質により解剖結果が左右されない利点があり、特に検死用の遺体収容に好適である。
【実施例３】
【００４５】
次に本発明の保冷装置を人体を一定時間低温に保持するための治療用に用いた場合の第３実施例について説明する。図９〜１１に示す低温治療装置は、収容部本体７０と収容部本体７０に回動可能にヒンジ結合された蓋体７１とからなる。蓋体７１は、人体ｈの顔ｆが位置する部分は欠落して、蓋体７１が顔ｆを覆わないように構成されている。
収容部本体７０及び蓋体７１の隔壁は、前記第２実施例のように、内張りシート、断熱層及び外張りシートから構成され、冷水配管が内張りシートと断熱層との間に設置された構成を有するが、複数に分割されたサーマルマット７２で構成されている。
【００４６】
即ち各サーマルマット７２は、治療用（医療用）として使用し、人体各部位に触れるサーマルマットの温度を個々に制御することができる。このように人体各部位の温度を治療目的、状況にあわせ変え、暖めるところ、冷やすところをつくり、治療の促進治癒促進に効果を発揮することを目的とするものであり、個々に独自に０〜５０℃の間で温度制御できるように、冷水配管が配設されている。勿論身体全体を温めたり、冷やしたりすることも可能である。図１２はサーマルマット７２の配置状況を示す説明図であるが、収容部本体７０の底面にはＡ−１からＤ−２までに分割されたサーマルマットが配置され、蓋体７２にはＥ−１からＧ−２までのサーマルマットが配置されている。なお図１１に示すように、蓋体７１に設けられたサーマルマットの一部７２ａは開閉可能に構成されている。
【００４７】
図１３はサーマルマット７２の配管系統を示す模式図である。図１３において、個々のサーマルマット７２の内部に伝熱管７２１が蛇行配置され、伝熱管７２１の両端には冷温水往管７２２及び冷温水還管７２３が接続されている。冷温水往管７２２は、温水管７２２ａと冷水管７２２ｂとがミックス弁７２６を介して伝熱管７２１に接続されており、伝熱管７２１の配置位置に設置された温度センサ７２４の温度検出値に基づいてサーモスイッチ７２５がミックス弁７２６を操作して伝熱管７２１に流入する温水と冷水との割合を変えることにより、サーマルマット７２の温度を制御するように構成されている。
【００４８】
このような装置を使って、使用例として、上半身を暖め、下半身を冷やしたり、右腕に「焼けど」を負ってしまった場合には、右腕の冷却をしたり、あるいはダイエット等で腹部のみを暖めたり、発汗したい場合は腹部のみ暖めたりするように使用される。
このように第３実施例では、個々のサーマルマット７２の温度を自在に制御することにより、人体の各部に対する加温温度又は冷却温度を自在に制御できるようになっており、人体に治療（医療）用として有効である。
【産業上の利用可能性】
【００４９】
本発明によれば、検死などの際に一時的に遺体を収納し安置する場合に好適であり、遺体の損傷を防止しかつ遺体の臭気の放散を防ぐことができるとともに、他の被保冷物にも適用できて、軽量で持ち運びに便利であり、簡単な構成で冷却効率が高い保冷装置を実現することができる。
【図面の簡単な説明】
【００５０】
【図１】本発明装置の第１実施例の全体斜視図である。
【図２】前記第１実施例の収納バッグの縦断立面図である。
【図３】図２のIII−III線に沿う横断側面図である。
【図４】前記第１実施例の冷却装置の構成図である。
【図５】本発明の第２実施例の遺体収納バッグ本体の斜視図である。
【図６】前記第２実施例の全体斜視図である。
【図７】前記第２実施例の遺体収納バッグ本体の横断面図である。
【図８】前記第２実施例の遺体収納バッグ本体の冷水配管の展開図である。
【図９】本発明の第３実施例の低温治療装置（蓋開き状態）の斜視図である。
【図１０】前記第３実施例（蓋閉め状態）の斜視図である。
【図１１】前記第３実施例（蓋閉め状態）の斜視図である。
【図１２】前記第３実施例のサーマルマットの配置状況を示す説明図である。
【図１３】前記第３実施例のサーマルマット７２の配管系統を示す模式図である。
【符号の説明】
【００５１】
１，４０  遺体収納バッグ本体（被保冷物収容体）
２  冷却ユニット
１１，４６  内張りシート
１２，４８  冷水配管
１３  断熱層
１４  外張りシート
１５，６５  接続コネクタ
１６  開閉部
１７、３７，４１，６１  取っ手
２１  冷水ボックス
２２  冷媒循環配管
２３  電動圧縮機
２４  コンデンサ
２５  ファン
２６  電動モータ
２７  膨張弁
２８  冷水タンク
２９  蒸発管
３０  水位窓
３１  冷水ポンプ
３２  冷水供給管
３３  冷水戻り管
３４，６４  冷水ホース
３５，６２  電源コード
３６，６３  キャスタ
４３  収容部
４４  蓋部
４５  リブ（形状保持体）
ａ  遺体
【図１】
2006346428.tif 000003
【図２】
2006346428.tif 000004
【図３】
2006346428.tif 000005
【図４】
2006346428.tif 000006
【図５】
2006346428.tif 000007
【図６】
2006346428.tif 000008
【図７】
2006346428.tif 000009
【図８】
2006346428.tif 000010
【図９】
2006346428.tif 000011
【図１０】
2006346428.tif 000012
【図１１】
2006346428.tif 000013
【図１２】
2006346428.tif 000014
【図１３】
2006346428.tif 000015